(57)【特許請求の範囲】
【請求項１】
ＢＳ及びＣＳ双方の衛星信号を受信するアンテナと、前記アンテナへＣＳの２つの偏波信号の一方を選択するための切換信号を出力可能で、且つ前記ＢＳ及びＣＳ双方の受信信号を復調可能なＢＳ・ＣＳ端末装置と、前記ＢＳ受信信号のみを復調可能なＢＳ端末装置とを備え、前記アンテナは、前記ＢＳ・ＣＳ端末装置からの切換信号に応じて、前記偏波信号の一方を選択してＢＳ受信信号を重畳し、前記ＢＳ・ＣＳ端末装置及びＢＳ端末装置へ夫々分配する衛星受信システムであって、
前記分配前の信号伝送路に、ＣＳの２つの偏波信号の一方を選択するための切換信号を判別する切換信号判別手段と、その切換信号判別手段により判別される切換信号を遮断して当該切換信号と同じ偏波信号を選択する切換信号を新たに出力可能で、且つ前記切換信号判別手段によって前記切換信号の入力がないと判別された場合は、前記偏波信号の一方を選択する第２切換信号を新たに出力可能な切換信号出力手段とを備えてなる給電切換器を設けて、前記ＢＳ・ＣＳ端末装置からの前記切換信号を前記給電切換器へ入力させ、前記給電切換器からの前記切換信号を前記アンテナ側に出力させるようにしたことを特徴とする衛星受信システム。
【請求項２】
前記給電切換器に、偏波信号の伝送路を並設すると共に、前記伝送路に地上波テレビ信号を混合するミキサ回路を設けた請求項１に記載の衛星受信システム。
【請求項３】
前記給電切換器に、偏波信号の伝送路を並設すると共に、前記伝送路に前記偏波信号を増幅するブースタ回路を設けた請求項１又は２に記載の衛星受信システム。
【請求項４】
前記ＢＳ・ＣＳ端末装置は、アンテナへＣＳの２つの偏波信号の一方を選択するための切換信号の出力部を備え、前記出力部の出力側に前記給電切換器を設けて、前記出力部からの切換信号を前記給電切換器へ入力させ、前記給電切換器からの切換信号を前記アンテナ側へ出力させるようにしたことを特徴とする請求項１乃至３の何れかに記載の衛星受信システム。
【発明の詳細な説明】
【０００１】
【発明の属する技術分野】
本発明は、ＢＳ・ＣＳ端末装置を用いて他のＢＳ端末装置でＢＳ放送を共同受信する衛星受信システムに関する。
【０００２】
【従来の技術】
従来、通信衛星（ＣＳ）電波と放送衛星（ＢＳ）電波とは、双方の衛星が離れていることで、ＣＳアンテナとＢＳアンテナとにより別々に受信し、夫々独立して複数のケーブルで受信端となる家庭等に伝送していた。しかし、次期ＣＳ衛星がＢＳ衛星に近い東経１１０°に打ち上げが予定されており、１個のアンテナを用いてＢＳ電波とＣＳ電波との両方を受信できるようになるため、この場合、ＣＳ電波の右旋円偏波（以下「右偏波」という。）及び左旋円偏波（以下「左偏波」という。）とＢＳ電波とを、周波数が重ならない受信信号に夫々周波数変換し、１本のケーブルで家庭等に伝送可能となる。一方、家庭等では、商用電源が供給されるＢＳ・ＣＳ端末装置（例えばＢＳ・ＣＳチューナ）を用いて、ＢＳ・ＣＳ端末装置の出力部からアンテナへの給電及び切換信号（以下「切換信号」という。）を切り換えることによって、ＢＳ受信信号とＣＳ右偏波信号、或いはＢＳ受信信号とＣＳ左偏波信号との何れかを選択して受信できる。よって、ＢＳ・ＣＳ端末装置を設置した部屋ではＢＳ及びＣＳ放送を見ることができ、分配器でＢＳ受信信号を分配すれば、他の部屋に設置したＢＳ端末装置（例えばチューナ内蔵テレビ受像機）によってＢＳ放送を見ることができる。
【０００３】
【発明が解決しようとする課題】
このように、上記衛星受信システムでは、ＢＳ・ＣＳ端末装置からアンテナへ出力される切換信号によってＢＳ・ＣＳ放送の受信が維持されているから、ＢＳ・ＣＳ端末装置の電源を切ると、アンテナへの給電が停止して、ＢＳ放送を共同受信しているＢＳ端末装置へのＢＳ受信信号の伝送も停止され、当該ＢＳ端末装置でＢＳ放送を見ることができなくなってしまう。
【０００４】
そこで、本発明は、ＢＳ・ＣＳ端末装置の出力部からの切換信号の有無に関わりなく、共同受信する全てのテレビでＢＳ放送を受信できるようにすることを目的としたものである。
【０００５】
【課題を解決するための手段】
上記目的を達成するために、請求項１に記載の発明は、前記ＢＳ・ＣＳ端末装置及びＢＳ端末装置へ夫々分配する前の信号伝送路に、ＣＳの２つの偏波信号の一方を選択するための切換信号を判別する切換信号判別手段と、その切換信号判別手段により判別される切換信号を遮断して当該切換信号と同じ偏波信号を選択する切換信号を新たに出力可能で、且つ前記切換信号判別手段によって前記切換信号の入力がないと判別された場合は、前記偏波信号の一方を選択する第２切換信号を新たに出力可能な切換信号出力手段とを備えてなる給電切換器を設けて、前記ＢＳ・ＣＳ端末装置からの前記切換信号を前記給電切換器へ入力させ、前記給電切換器からの前記切換信号を前記アンテナ側に出力させるようにしたことを特徴とするものである。
請求項２に記載の発明は、請求項１の目的に加えて、給電切換器を合理的に構成するために、前記給電切換器に、偏波信号の伝送路を並設すると共に、前記伝送路に地上波テレビ信号を混合するミキサ回路を設けたものである。
請求項３に記載の発明は、請求項１又は２の目的に加えて、給電切換器を合理的に構成するために、前記給電切換器に、偏波信号の伝送路を並設すると共に、前記伝送路に前記偏波信号を増幅するブースタ回路を設けたものである。
器を設けて、前記出力部からの切換信号を前記給電切換器へ入力させ、前記給電切換器からの切換信号を前記アンテナ側へ出力させるようにしたことを特徴とするものである。
【０００６】
請求項４に記載の発明は、前記ＢＳ・ＣＳ端末装置は、アンテナへＣＳの２つの偏波信号の一方を選択するための切換信号の出力部を備え、前記出力部の出力側に前記給電切換器を設けて、前記出力部からの切換信号を前記給電切換器へ入力させ、前記給電切換器からの切換信号を前記アンテナ側へ出力させるようにしたことを特徴とするものである。
【０００７】
【発明の実施の形態】
以下、本発明の実施の形態を図面に基づいて説明する。
図１は、給電切換器を用いた衛星受信システムの構成を示すもので、衛星受信システム１は、屋外に設置したアンテナ２によって、ＣＳ及びＢＳからの各受信信号（ＣＳ右偏波及び左偏波信号、ＢＳ受信信号）を、屋内に設置したＢＳ・ＣＳ端末装置（ここではＢＳ・ＣＳチューナ２６及びテレビ受像機２７）、更に各部屋に設置された複数のＢＳ端末装置（ここではＢＳチューナ内蔵テレビ２５。以下「ＢＳテレビ」という。）まで伝送するシステムである。尚、この衛星受信システム１では、屋外に設置したＶＨＦアンテナ５及びＵＨＦアンテナ６により地上局から送信されたＶＨＦ帯及びＵＨＦ帯のテレビ放送電波を夫々受信して各テレビ受像機まで伝送するシステムを併設している。７は地上局からの各受信信号を混合するＶＵミキサである。
【０００８】
アンテナ２は、反射鏡３と、図示しない支持腕を介して反射鏡３の焦点位置に配置されたコンバータ４とからなる。コンバータ４は、端末側から入力される偏波切換・電源供給兼用の切換信号によって動作し、その切換信号に応じて、ＣＳからの左偏波と右偏波との一方を選択して受信し、その選択した偏波とＢＳ電波とを、所定周波数帯のＣＳの左偏波信号とＢＳ受信信号と、ＣＳの右偏波信号とＢＳ受信信号とに夫々周波数変換して出力するものである。尚、ここでは、切換信号として出力端子に直流１１Ｖを受けると右偏波信号を出力し、直流１５Ｖを受けると左偏波信号を出力する。
【０００９】
８はミキサで、コンバータ４の出力端子及びＶＵミキサ７の出力端子が夫々同軸ケーブルを介して接続され、アンテナ２からの受信信号及びＶＨＦアンテナ５、ＵＨＦアンテナ６が受信するＶＨＦ及びＵＨＦ信号は、ミキサ８で混合され、端末側に出力されるミキサ回路を構成する。図２は、ミキサ８の回路ブロック図で、アンテナ２からの受信信号の入力端子９は、ハイパスフィルタ１０を介して、ＶＵミキサ７からの受信信号の入力端子１１は、ローパスフィルタ１２を介して夫々１本の同軸ケーブルに接続され、電源分離回路１３を介して出力端子１６へ接続されている。この電源分離回路１３は、直流及び低周波信号を遮断し、高周波信号を通過させるコンデンサ１４と、一端をコンデンサ１４と出力端子１６との間に接続され、直流及び低周波信号を通過させ、高周波信号を遮断するチョークコイル１５とからなり、ＢＳ・ＣＳチューナ２６から出力され出力端子１６に入力された切換信号（直流１１Ｖ又は直流１５Ｖ）を、チョークコイル１５を介してその他端に接続された電圧判定回路２０側に出力するものである。
【００１０】
尚、同様の電源分離回路１７は、入力端子９とハイパスフィルタ１０との間にも設けられている。即ち、直流及び低周波信号を遮断し、高周波信号を通過させるコンデンサ１８と、一端を入力端子９とコンデンサ１８との間に接続され、直流及び低周波信号を通過させ、高周波信号を遮断するチョークコイル１９とからなり、チョークコイル１９の他端を接点２１に接続するものである。この接点２１は、一方がチョークコイル１５と電圧判定回路２０との間に、他方が、商用電源が供給される電源回路２２に夫々接続される一方、電圧判定回路２０は、図示しないツェナダイオード及びトランジスタ、リレー等からなり、チョークコイル１５を介して入力された切換信号の電圧レベルが所定の判定電圧（例えば直流９Ｖ）を超えるとき、即ち、ＢＳ・ＣＳチューナ２６からのどちらか一方の切換信号が得られるときは、リレーコイルに通電させて接点２１をチョークコイル１５側に切り換え、電圧レベルが所定の判定電圧を下回るときは、リレーコイルへの通電を遮断して接点２１を電源回路２２側に切り換えるものとなる。
【００１１】
又、電源回路２２は、商用電源からの交流電圧を、所定の交流電圧に変圧する電源トランスと、電源トランスによる交流電圧を全波整流して直流電源電圧を生成する全波整流回路と、全波整流回路からの出力を受けて、第２切換信号としてアンテナ２のコンバータ４を動作させる直流低電圧（例えば直流１１Ｖ）を生成する定電圧回路とを備えている。
このように、ここでは電源分離回路１３，１７、電圧判定回路２０及び接点２１、電源回路２２によって、ミキサ８に給電切換器の機能を並設したもので、このうち、電圧判定回路２０が切換信号判別手段を、接点２１及び電源回路２２が切換信号出力手段を夫々構成するものとなっている。３０は、ミキサ８の前段に設けられ、各アンテナからの受信信号を増幅するブースタ回路としての増幅器である。
【００１２】
そして、ミキサ８の出力側には、４分配器２３が設けられ、アンテナ２からの受信信号をテレビ端子２４を夫々備えた４つの部屋Ａ〜Ｄに分配するが、このうち３つの部屋Ａ〜Ｃでは、テレビ端子２４にＢＳテレビ２５が夫々接続され、残りの部屋Ｄでは、テレビ端子２４に、ＢＳ・ＣＳチューナ２６を介してテレビ受像機２７が接続されている。このＢＳ・ＣＳチューナ２６は、商用電源により動作し、使用者の操作に従い、受信信号の入力端子から、アンテナ２に対する偏波切換・電源供給用の２種類の切換信号（ＣＳの左偏波信号とＢＳ受信信号との受信時には直流１５Ｖ、ＣＳの右偏波信号とＢＳ受信信号との受信時には直流１１Ｖ）の一方を出力するように構成されている。
【００１３】
以上の如く構成された衛星受信システム１においては、部屋ＤでのＢＳ・ＣＳチューナ２６の電源ＯＮ状態で、その入力端子から左偏波選択用の切換信号（直流１５Ｖ）が出力されているときには、切換信号は４分配器２３を介してミキサ８に出力され、ミキサ８内では電源分離回路１３のチョークコイル１５を介して電圧判定回路２０へ出力される。電圧判定回路２０では、判定レベルを超える直流１５Ｖの切換信号が得られるので、通電により接点２１はチョークコイル１５側へ切り換わる。よって、切換信号は、チョークコイル１５及び接点２１を電流通過して、電源分離回路１７のチョークコイル１９を介してアンテナ２側へ出力されることとなり、アンテナ２のコンバータ４は、直流１５Ｖの切換信号に対応したＣＳの左偏波信号とＢＳ受信信号とを出力する。これらの受信信号は、ミキサ８内では電源分離回路１７、ハイパスフィルタ１０を介して、ＶＨＦアンテナ５及びＵＨＦアンテナ６が受信するＶＨＦ及びＵＨＦ信号と重畳され、電源分離回路１３を介して４分配器２３へ出力され、各部屋Ａ〜Ｄに分配される。従って、ＢＳテレビ２５のみ備えた部屋Ａ〜Ｃでは、地上波放送とＢＳ放送とを見ることができ、ＢＳ・ＣＳチューナ２６を備えた部屋Ｄでは、地上波放送とＢＳ放送、ＣＳ放送を見ることができる。これはＢＳ・ＣＳチューナ２６から右偏波選択用の切換信号（直流１１Ｖ）が出力される場合も同じである。
【００１４】
そして、部屋Ｄでテレビを見ないためにＢＳ・ＣＳチューナ２６の電源がＯＦＦされると、ミキサ８への直流１１Ｖ或いは１５Ｖの切換信号の出力が停止する。すると、この切換信号の停止をミキサ８の電圧判定回路２０が検出して接点２１を電源回路２２側へ切り換えるため、電源回路２２で生成される直流１１Ｖの切換信号が、接点２１及び電源分離回路１７のチョークコイル１９を介してアンテナ２のコンバータ４へ出力される。よって、コンバータ４はＢＳ受信信号を出力し、このＢＳ受信信号は、ＣＳの場合と同様にＶＨＦ及びＵＨＦ信号と共にミキサ８、４分配器２３を介してＢＳテレビ２５のある３つの部屋Ａ〜Ｃへ分配される。よって、部屋Ａ〜Ｃでは、部屋ＤでのＢＳ・ＣＳチューナ２６の電源がＯＦＦであっても、地上波放送とＢＳ放送とを見ることができる。
【００１５】
このように上記給電切換器（ミキサ８）及び衛星受信システム１によれば、切換信号を判別する電圧判定回路２０と、その電圧判定回路２０により判別される切換信号は電流通過させ、切換信号の入力がない場合は、直流１１Ｖの第２切換信号を新たに出力可能な接点２１及び電源回路２２とを備えたことで、単一のＢＳ・ＣＳチューナ２６で受信した受信信号を複数のＢＳテレビ２５へ分配する共同受信を行っても、ＢＳ・ＣＳチューナ２６の作動状態に関係なく、他の全てのＢＳテレビ２５でＢＳ放送が受信できる。
又、ここでは、給電切換器に受信信号の伝送路を並設すると共に、伝送路に地上波テレビ信号を混合するミキサ回路と、受信信号を増幅するブースタ回路とを並設した構成としているから、給電切換器を他の機能と組み合わせて合理的に構成できる。
【００１６】
尚、給電切換器は、上記形態ではＢＳ・ＣＳチューナ２６からの切換信号を電流通過してアンテナ２に送出するものであるが、図３に示すように、電圧判定回路２８への入力電圧に応じた電圧を電源回路２９で生成してアンテナ２側に送出する形態としても差し支えない。具体的には、電源回路２９において、定電圧回路を直流１１Ｖと直流１５Ｖとの２種類用意し、電圧判定回路２８では、入力された切換信号の電圧レベルが所定の判定電圧（例えば直流１３Ｖ）を超えるとき、即ち、ＣＳ左偏波の受信信号が必要なときは、電源回路２９内の定電圧回路に設けたリレーの接点を直流１５Ｖの定電圧回路側へ切り換え、電圧レベルが判定電圧を下回るとき、即ち、ＣＳ右偏波の受信信号が必要なときは、接点を直流１１Ｖの定電圧回路側へ切り換えるようにする構成が考えられる。この形態によれば、ＢＳ・ＣＳチューナ２６からの切換信号に応じて電源回路２９から同じ切換信号を出力でき、ＢＳ・ＣＳチューナ２６からの切換信号が停止すると、電源回路２９から直流１１Ｖの第２切換信号をアンテナ２へ出力することができる。特にここでは、２種の切換信号を共に電源回路２９から供給しているから、ミキサ８後段のケーブルに流れる電流が少なくて済む。よって、４分配器２３で電圧降下が発生しても安定に動作し、使用できるケーブル長さの範囲が広くなるという副次的効果が得られる。
【００１７】
又、上記各形態では、受信信号を混合するミキサ８にブースタ回路や給電切換器の機能を並設したものとなっているが、給電切換器をミキサ回路やブースタ回路の何れか一方と並設したり、逆にミキサ回路やブースタ回路と独立した給電切換器を形成して衛星受信システム１の分配前の信号伝送路に配置したりしても差し支えない。更に、ミキサ等に限らず、単独で電源が供給される給電切換器をＢＳ・ＣＳ端末装置（ＢＳ・ＣＳチューナ等）に内蔵して、端末装置の出力部からの切換信号を給電切換器へ入力させ、給電切換器からの切換信号を前記アンテナ側へ出力させるようにしても上記形態と同様の作用効果が得られる。
加えて、給電切換器は、電源としてＡＣ１００Ｖ方式を採用しているが、低電圧方式でも採用できる。その他、各部屋への分配数も、４分配に限らず、ＢＳ・ＣＳ端末装置のある部屋以外に少なくともＢＳ放送のみ受信する部屋が１つあれば本発明は採用可能で、端末装置も、ＢＳ・ＣＳ端末装置側ではチューナ内蔵型のテレビ受像機であっても良いし、ＢＳ端末装置側ではチューナとテレビ受像機とが別体であっても良い。
【００１８】
【発明の効果】
本発明の衛星受信システムによれば、ＢＳ・ＣＳ端末装置で受信した受信信号を他のＢＳ端末装置へ分配する共同受信を行っても、ＢＳ・ＣＳ端末装置の出力部の作動状態に関係なく、他の全てのＢＳ端末装置でＢＳ放送が受信できる。
特に、給電切換器の切換信号出力手段を、判別された切換信号を遮断して当該切換信号と同じ偏波信号を選択する新たな切換信号を発生させるものとしたことで、給電切換器後段のケーブルに流れる電流が少なくて済む。よって、ケーブルの直流抵抗による電圧降下が少なくなり、使用できるケーブル長さの範囲が広くなる。
請求項２に記載の発明によれば、請求項１の効果に加えて、並設した偏波信号の伝送路に地上波テレビ信号を混合するミキサ回路を設けたことで、給電切換器をミキサ回路と組み合わせて合理的に構成できる。
請求項３に記載の発明によれば、請求項１又は２の効果に加えて、並設した偏波信号の伝送路に偏波信号を増幅するブースタ回路を設けたことで、給電切換器をブースタ回路と組み合わせて合理的に構成できる。
【図面の簡単な説明】
【図１】衛星受信システムの概略構成図である。
【図２】ミキサのブロック図である。
【図３】ミキサの変更例を示すブロック図である。
【符号の説明】
１・・衛星受信システム、２・・アンテナ、４・・コンバータ、８・・ミキサ、１３，１７・・電源分離回路、１４，１８・・コンデンサ、１５，１９・・チョークコイル、２０，２８・・電圧判定回路、２１・・接点、２２，２９・・電源回路、２３・・４分配器、２５・・ＢＳテレビ、２６・・ＢＳ・ＣＳチューナ、３０・・増幅器。
【図１】
0004414049.tif 000002
【図２】
0004414049.tif 000003
【図３】
0004414049.tif 000004